(57)【要約】【課題】接続する機器が使用される場所の明るさに応じて、撮影した画像を補正して当該機器に表示させることが可能な画像処理装置を提供すること。【解決手段】他の機器に対して画像を送信する画像処理装置であって、ネットワークを介して前記他の機器から撮像画像を受信する受信手段と、画像を取得する画像取得手段と、前記撮像画像の輝度成分に基づいて、前記取得した画像の補正に用いられるトーンカーブの補正パラメータを出力するパラメータ出力手段と、前記補正パラメータに基づいて前記トーンカーブを補正するトーンカーブ補正手段と、前記トーンカーブ補正手段により補正された前記トーンカーブに基づいて前記取得した画像を補正する画像補正手段と、補正された前記取得した画像を前記他の機器に送信する送信手段と、を有する画像処理装置。【選択図】図３
2014179807.tif 000002
【特許請求の範囲】
【請求項１】
他の機器に対して画像を送信する画像処理装置であって、
ネットワークを介して前記他の機器から撮像画像を受信する受信手段と、
画像を取得する画像取得手段と、
前記撮像画像の輝度成分に基づいて、前記取得した画像の補正に用いられるトーンカーブの補正パラメータを出力するパラメータ出力手段と、
前記補正パラメータに基づいて前記トーンカーブを補正するトーンカーブ補正手段と、
前記トーンカーブ補正手段により補正された前記トーンカーブに基づいて前記取得した画像を補正する画像補正手段と、
補正された前記取得した画像を前記他の機器に送信する送信手段と、
を有することを特徴とする画像処理装置。
【請求項２】
前記画像補正手段は、露出が異なる複数の前記画像を合成し、合成した前記画像のダイナミックレンジを、前記トーンカーブ補正手段により補正された前記トーンカーブに基づいて補正する
ことを特徴とする請求項１に記載の画像処理装置。
【請求項３】
前記パラメータ出力手段は、前記撮像画像全体の輝度成分の平均値を求め、前記平均値と閾値との比較に基づいて前記補正パラメータを出力する
ことを特徴とする請求項１又は２に記載の画像処理装置。
【請求項４】
前記パラメータ出力手段は、前記撮像画像の一部分の輝度成分の平均値を求め、前記平均値と閾値との比較に基づいて前記補正パラメータを出力する
ことを特徴とする請求項１又は２に記載の画像処理装置。
【請求項５】
ネットワークを介して複数の機器間で画像を送受信する画像処理システムであって、
他の機器から撮像画像を受信する受信手段と、
画像を取得する画像取得手段と、
前記撮像画像の輝度成分に基づいて、前記取得した画像の補正に用いられるトーンカーブの補正パラメータを出力するパラメータ出力手段と、
前記補正パラメータに基づいて前記トーンカーブを補正するトーンカーブ補正手段と、
前記トーンカーブ補正手段により補正された前記トーンカーブに基づいて前記取得した画像を補正する画像補正手段と、
補正された前記取得した画像を前記他の機器に送信する送信手段と、
を有することを特徴とする画像処理システム。
【請求項６】
他の機器に対して画像を送信する画像処理方法であって、
ネットワークを介して前記他の機器から撮像画像を受信する受信ステップと、
画像を取得する画像取得ステップと、
前記撮像画像の輝度成分に基づいて、前記取得した画像の補正に用いられるトーンカーブの補正パラメータを出力するパラメータ出力ステップと、
前記補正パラメータに基づいて前記トーンカーブを補正するトーンカーブ補正ステップと、
前記トーンカーブ補正ステップにより補正された前記トーンカーブに基づいて前記取得した画像を補正する画像補正ステップと、
補正された前記取得した画像を前記他の機器に送信する送信ステップと、
を有することを特徴とする画像処理方法。
【請求項７】
請求項６に記載の画像処理方法をコンピュータに実行させるためのプログラム。
【発明の詳細な説明】
【技術分野】
【０００１】
本発明は、画像処理装置、画像処理システム、画像処理方法及びプログラムに関する。
【背景技術】
【０００２】
ネットワークを介して接続する複数の会議端末間で、画像や音声を送受信して会議等を行うテレビ会議システムが実用化されている。
【０００３】
会議端末のユーザは、自拠点の会議端末により表示される他拠点の会議端末から送信される画像を見やすくするために、自拠点の会議室内の照明を落とす場合がある。自拠点において暗い室内で撮影された画像は、カメラの露出によって背景が白飛びしたり、人物の顔が黒くつぶれたりすることで、他拠点から見づらい画像になる場合がある。また、他拠点の会議端末が設置されている室内が明るいと、自拠点の会議端末から送信される画像が他拠点において見づらくなる場合がある。
【０００４】
そこで、使用場所に応じて最適化された画質調整パラメータを画像表示装置に設定することで、使用場所に応じて画像表示装置に画像を調整して表示させる画像表示システムが開示されている（例えば、特許文献１参照）。
【発明の概要】
【発明が解決しようとする課題】
【０００５】
しかしながら、特許文献１に係る画像表示システムでは、使用場所の明るさに応じて画質調整パラメータを適宜変更することは困難であり、使用場所の明るさによっては画像表示装置により表示される画像が見づらくなる可能性がある。
【０００６】
本発明は上記に鑑みてなされたものであって、接続する機器が使用される場所の明るさに応じて、撮影した画像を補正して当該機器に表示させることが可能な画像処理装置を提供することを目的とする。
【課題を解決するための手段】
【０００７】
本発明の一態様の画像処理装置によれば、他の機器に対して画像を送信する画像処理装置であって、ネットワークを介して前記他の機器から撮像画像を受信する受信手段と、画像を取得する画像取得手段と、前記撮像画像の輝度成分に基づいて、前記取得した画像の補正に用いられるトーンカーブの補正パラメータを出力するパラメータ出力手段と、前記補正パラメータに基づいて前記トーンカーブを補正するトーンカーブ補正手段と、前記トーンカーブ補正手段により補正された前記トーンカーブに基づいて前記取得した画像を補正する画像補正手段と、補正された前記取得した画像を前記他の機器に送信する送信手段と、を有する。
【発明の効果】
【０００８】
本発明の実施形態によれば、接続する機器が使用される場所の明るさに応じて、撮影した画像を補正して当該機器に表示させることが可能な画像処理装置を提供できる。
【図面の簡単な説明】
【０００９】
【図１】実施形態に係る会議システムの構成を例示する図である。
【図２】実施形態に係る会議端末のハードウェア構成を例示する図である。
【図３】実施形態に係る会議端末の機能構成を例示する図である。
【図４】実施形態に係る会議端末における補正パラメータを例示する図である。
【図５】実施形態に係る会議端末におけるトーンカーブ補正を例示する図である。
【図６】実施形態に係る処理装置における処理のフローチャートを例示する図である。
【図７】実施形態に係る撮像装置における処理のフローチャートを例示する図である。
【図８】実施形態に係る会議端末における補正パラメータの他の例を示す図である。
【図９】実施形態に係る会議端末におけるトーンカーブ補正の他の例を示す図である。
【図１０】実施形態に係る撮像装置における処理のフローチャートの他の例を示す図である。
【発明を実施するための形態】
【００１０】
以下、図面を参照して発明を実施するための形態について説明する。各図面において、同一構成部分には同一符号を付し、重複した説明を省略する場合がある。
【００１１】
＜テレビ会議システムの構成＞
図１は、実施形態に係るテレビ会議システム１の構成を例示する図である。
【００１２】
テレビ会議システム１は、画像処理システムの一例であり、会議端末１０１，１０２，１０３，１０４を有する。会議端末１０１，１０２，１０３，１０４は、ネットワーク４００を介して相互に接続されている。テレビ会議システム１を構成する会議端末の数は、図１に示す例に限らず、２つ以上複数の会議端末で構成することができる。
【００１３】
会議端末１０１，１０２，１０３，１０４は、それぞれ撮像装置２００及び処理装置３００を有し、会議端末間で画像や音声の送受信を行うことができる。例えば会議端末１００は、撮影した画像及び録音した音声を他の会議端末１０１，１０２，１０３に送信し、他の会議端末１０１，１０２，１０３から受信した映像をスクリーンに表示すると共に、受信した音声をスピーカから出力する。この様な構成により、画像処理装置としての会議端末１００のユーザは、機器としての他の会議端末１０１，１０２，１０３のユーザとの間で、リアルタイムに送受信される画像や音声を介してテレビ会議を行うことができる。
【００１４】
＜会議端末の構成＞
（ハードウェア構成）
次に、会議端末１００の構成について説明する。テレビ会議システム１を構成する他の会議端末１０１，１０２，１０３は、以下で説明する会議端末１００とは異なる構成を有しても良い。
【００１５】
図２は、実施形態に係る会議端末１００のハードウェア構成を例示する図である。
【００１６】
会議端末１００は、撮像装置２００、処理装置３００を有し、撮像装置２００と処理装置３００との間は、例えばＵＳＢ等の有線又は無線で接続されている。
【００１７】
撮像装置２００は、レンズ２１０、センサ２２０、画像処理ユニット２３０、Ｉ／Ｆ２４０を有する。
【００１８】
レンズ２１０は、会議端末１００の周辺像をセンサ２２０の受光面に結像する結像手段である。
【００１９】
センサ２２０は、例えばＣＣＤ、ＣＭＯＳ等のイメージセンサである。センサ２２０は、レンズ２１０によって受光面に結像された光学像を電気信号に変換してフレーム画像を取得する。
【００２０】
画像処理ユニット２３０は、センサ２２０によって取得されるフレーム画像に対して各種画像処理を行う。
【００２１】
Ｉ／Ｆ２４０は、処理装置３００に有線又は無線により接続され、処理装置３００との間でフレーム画像や補正済フレーム画像、その他のデータや制御信号等を送受信する。
【００２２】
処理装置３００は、Ｉ／Ｆ３１０、ＣＰＵ３２０，メモリ３３０、通信ユニット３４０、制御ユニット３５０、映像出力ユニット３６０を有する。
【００２３】
Ｉ／Ｆ３１０は、撮像装置２００に有線又は無線により接続され、撮像装置２００との間でフレーム画像や補正済フレーム画像、その他のデータや制御信号等を送受信する。
【００２４】
ＣＰＵ３２０は、例えばメモリ３３０からプログラムやデータを読み出し、処理を実行することで、処理装置３００が備える各機能を実現する演算装置である。
【００２５】
メモリ３３０は、例えばＲＡＭ，ＲＯＭ，ＨＤＤ等であり、ＣＰＵ３２０により実行される様々な処理に必要とされる各種ソフトウエアやデータ、フレーム画像や補正済フレーム画像等を格納する。
【００２６】
通信ユニット３４０は、ネットワーク４００を介して接続される他の会議端末１０１，１０２，１０３等とのインタフェースであり、画像や音声等の送受信を行う。
【００２７】
制御ユニット３５０は、処理装置３００全体の制御を行う。
【００２８】
映像出力ユニット３６０は、例えば処理装置３００に接続される不図示のモニタ等に画像や音声を出力する。
【００２９】
（機能構成）
図３は、実施形態に係る会議端末１００の機能構成を例示する図である。
【００３０】
会議端末１００の撮像装置２００は、画像取得部２１１、画像補正部２２１、トーンカーブ補正部２２２、パラメータ設定部２２３、補正済画像伝送部２３１を有する。また、処理装置３００は、パラメータ伝送部３１１、パラメータ出力部３２１、送信部３４１、受信部３４２を有する。
【００３１】
画像取得部２１１は、フレーム画像を生成して取得する画像取得手段である。画像取得部２１１は、露出が異なる複数のフレーム画像を取得し、画像補正部２２１に出力する。
【００３２】
画像補正部２２１は、画像取得部２１１により取得されたフレーム画像を補正する補正手段である。画像補正部２２１は、パラメータ設定部２２３により設定されるパラメータに基づき、トーンカーブ補正部２２２により補正されたトーンカーブを用いて、画像取得部２１１により取得されたフレーム画像を補正する。
【００３３】
画像補正部２２１は、画像取得部２１１により取得された露出が異なる複数のフレーム画像を合成し、トーンカーブ補正部２２２により補正されたトーンカーブを用いてトーンマッピングを行う。この様に、画像補正部２２１は、フレーム画像に対して所謂ハイダイナミックレンジ処理を施した画像を補正済フレーム画像として出力する。
【００３４】
ここで、トーンカーブとは、横軸を入力画像情報、縦軸を出力画像情報とした場合の入出力変換特性（関数）のことである。また、トーンカーブを適用して、入力画像に対する出力画像を得る、若しくは所定の補正を行うことを、トーンマッピング又はトーンマップ処理という。
【００３５】
トーンカーブ補正部２２２は、トーンカーブ補正手段として、パラメータ設定部２２３により設定される補正パラメータに基づいて、画像補正部２２１における画像補正に用いられるトーンカーブを補正する。
【００３６】
パラメータ設定部２２３は、処理装置３００のパラメータ伝送部３１１から送信されるトーンカーブの補正パラメータを、例えば画像処理ユニット２３０内のメモリに設定する。
【００３７】
補正済画像伝送部２３１は、画像補正部２２１により補正された補正済フレーム画像を、処理装置３００の映像出力ユニット３６０及び送信部３４１に送信する。
【００３８】
処理装置３００の送信部３４１は、補正済画像伝送部２３１から送信される補正済フレーム画像を、ネットワーク４００を介して接続する他の会議端末１０１，１０２，１０３等に送信する送信手段である。他の会議端末１０１，１０２，１０３は、送信部３４１から補正済フレーム画像を受信し、例えばモニタやスクリーン等に表示する。
【００３９】
受信部３４２は、ネットワーク４００を介して接続する他の会議端末１０１，１０２，１０３等から、例えば他の会議端末１０１，１０２，１０３の撮像画像等を他拠点画像として受信する受信手段である。受信部３４２は、受信した他拠点画像を、映像出力ユニット３６０に送信する。
【００４０】
映像出力ユニット３６０は、撮像装置２００によって取得された自拠点画像と、受信部３４２によって受信された他拠点画像とを、例えば不図示のモニタやスクリーン等に表示する。
【００４１】
パラメータ出力部３２１は、パラメータ出力手段として、受信部３４２により受信された他拠点画像に基づいて、撮像装置２００のトーンカーブ補正部２２２によるトーンカーブの補正に用いられる補正パラメータを決定して出力する。
【００４２】
パラメータ伝送部３１１は、パラメータ出力部３２１から出力される補正パラメータを、撮像装置２００のパラメータ設定部２２３に送信する。
【００４３】
（補正パラメータ）
ここで、パラメータ出力部３２１から出力され、トーンカーブ補正部２２２におけるトーンカーブの補正に用いられる補正パラメータについて説明する。
【００４４】
パラメータ出力部３２１では、まず、他拠点画像に含まれる全画素の輝度成分の平均値Ｌを算出し、算出した平均値Ｌと予め設定される閾値とを比較する。平均値Ｌが閾値より大きい場合には、相手側の会議端末が設置されている相手側環境は明るく、平均値Ｌが閾値以下の場合には、相手側環境は暗いと判断する。相手側環境が明るい場合には、会議端末１００から送信される画像は相手側環境において見づらく、相手側環境が暗い場合には、会議端末１００から送信される画像は相手側環境において見やすい条件だと考えられる。
【００４５】
相手側環境が明るく、画像が見づらい条件だと判断される場合には、トーンカーブ補正部２２２においてトーンカーブを補正する様に、パラメータ出力部３２１は、補正パラメータとして「１（補正する）」を出力する。補正パラメータとして「１（補正する）」が出力されると、トーンカーブ補正部２２２がトーンカーブの補正を実行することで、画像補正部２２１により補正されたフレーム画像は、明るい環境下でも見やすい画像となる。
【００４６】
また、相手側環境が暗く、画像が見やすい条件だと判断される場合には、トーンカーブの補正は必要ないため、パラメータ出力部３２１は、補正パラメータとして「０（補正しない）」を出力する。補正パラメータとして「０（補正しない）」が出力されると、トーンカーブ補正部２２２によるトーンカーブの補正は実行されず、画像補正部２２１は生成したトーンカーブに基づいてフレーム画像を補正して補正済画像伝送部２３１に送信する。
【００４７】
図４に示す様に、受信部３４２により受信された他拠点画像における１画素あたりの輝度成分が８ｂｉｔ（２５５段階）で表される場合には、輝度成分の平均値Ｌの閾値を、例えば１５０に設定する。パラメータ出力部３２１は、例えば相手拠点画像の輝度成分の平均値Ｌが１５０より大きい場合には、相手側環境が明るく画像を見づらいと判断し、補正パラメータとして、「１（補正する）」を出力する。また、パラメータ出力部３２１は、例えば平均値Ｌが１５０以下の場合には、相手側環境が暗く画像を見やすいと判断し、補正パラメータとして、「０（補正しない）」を出力する。
【００４８】
なお、相手拠点画像の輝度成分の平均値Ｌの閾値は、上記例に限らず適宜設定可能であり、平均値Ｌの算出方法には単純平均や加重平均を用いることができる。また、平均値Ｌとしては、相手拠点画像の全画素の輝度成分の平均値に限らず、相手拠点画像の一部分の画素の輝度成分の平均値を用いることも出来る。
【００４９】
（トーンカーブ補正）
次に、トーンカーブ補正部２２２によるトーンカーブの補正方法について図５に基づいて説明する。
【００５０】
トーンカーブは、横軸を入力信号、縦軸を出力信号とし、入力と出力の関係をプロットしたものである。図５（ａ）は、補正前のトーンカーブの例であり、縦軸、横軸ともにダイナミックレンジが０〜１の範囲に正規化されている。
【００５１】
画像補正部２２１は、露出が異なる複数のフレーム画像を合成してダイナミックレンジの広い画像を作成した後、例えば映像出力ユニット３６０や他の会議端末のモニタ等が表示可能なダイナミックレンジに圧縮するためのトーンカーブを作成する。トーンカーブの作成方法は、従来公知の技術を用いることができる。
【００５２】
次に、トーンカーブ補正部２２２は、パラメータ設定部２２３により設定されている補正パラメータが「１（補正する）」の場合に、例えば図５（ｂ）に示す様に、入力信号を圧縮する。画像補正部２２１は、この様に補正されたトーンカーブを用いてトーンマッピングを行うことで、合成したフレーム画像を、相手側環境が明るい場合でも見やすく表示される画像に補正することができる。
【００５３】
＜会議端末における画像処理＞
図６は、実施形態に係る会議端末１００の処理装置３００における処理のフローチャートの一例である。
【００５４】
会議端末１００が他の会議端末１０１，１０２，１０３等とテレビ会議を行う場合に、処理装置３００では、まずステップＳ１１にて、受信部３４２が他の会議端末１０１，１０２，１０３等から相手拠点画像を取得する。受信部３４２は、取得した相手拠点画像を映像出力ユニット３６０に送信して相手拠点画像をモニタ等に表示させる。
【００５５】
次にステップＳ１２にて、パラメータ出力部３２１が、相手拠点画像の輝度成分の平均値Ｌを算出する。続いてステップＳ１３にて、パラメータ出力部３２１は、輝度成分の平均値Ｌに基づいて決定されるトーンカーブの補正パラメータを出力する。
【００５６】
パラメータ出力部３２１から補正パラメータが出力されると、ステップＳ１４にて、パラメータ伝送部３１１が補正パラメータを撮像装置２００のパラメータ設定部２２３に送信する。
【００５７】
次にステップＳ１５では、送信部３４１及び映像出力ユニット３６０が、画像補正部２２１において補正された補正済フレーム画像を補正済画像伝送部２３１から取得する。映像出力ユニット３６０は、補正済フレーム画像を例えばモニタやスクリーン等に表示する。
【００５８】
ステップＳ１６では、送信部３４１が、取得した補正済フレーム画像を他の会議端末１０１，１０２，１０３等に送信し、処理を終了する。
【００５９】
処理装置３００では、図６におけるステップＳ１１からステップＳ１４までの処理と、ステップＳ１５及びステップＳ１６の処理とは同時に並行して行われており、処理の順番は図６に示す例に限られない。
【００６０】
また、図７は、実施形態に係る会議端末１００の撮像装置２００における処理のフローチャートの一例である。
【００６１】
会議端末１００が他の会議端末１０１，１０２，１０３等とテレビ会議を行う場合に、撮像装置２００では、まずステップＳ２１にて、画像取得部２１１が露出の異なる複数のフレーム画像を取得して合成する。画像取得部２１１により複数の画像が合成されたフレーム画像は、ダイナミックレンジの広い画像となる。
【００６２】
なお、画像取得部２１１は、実際に露出の異なる複数枚の画像を撮影しても良く、取得した一枚の画像から明るさを調整して擬似的に露出の異なる画像を作成しても良い。また、画像を合成する方法は、例えば重み付け線形和等を用いることができる。
【００６３】
次にステップＳ２２にて、画像補正部２２１は、画像取得部２１１からフレーム画像を取得し、例えば映像出力ユニット３６０や他の会議端末のモニタ等が表示可能なダイナミックレンジに圧縮するためのトーンカーブを作成する。
【００６４】
ステップＳ２３にて、パラメータ設定部２２３により設定された補正パラメータが「１（補正する）」である場合には、ステップＳ２４にて、トーンカーブ補正部２２２がトーンカーブを補正する。トーンカーブ補正部２２２は、例えば図５（ｂ）に示す様に、トーンカーブの入力信号を圧縮する補正を実行する。ステップＳ２３にて、パラメータ設定部２２３により設定された補正パラメータが「０（補正しない）」である場合には、トーンカーブ補正部２２２はトーンカーブの補正を実行しない。
【００６５】
次にステップＳ２５にて、画像補正部２２１がトーンカーブに従ってトーンマッピングを行う。続いてステップＳ２６にて、補正済画像伝送部２３１が、画像補正部２２１によりトーンマッピングが実行された補正済フレーム画像を処理装置３００に送信し、処理を終了する。
【００６６】
図６に例示する処理装置３００における処理及び図７に例示する撮像装置２００における処理は、会議端末１００において同時に並列して実行される。
【００６７】
なお、パラメータ出力部３２１は、３段階以上に設定された補正パラメータを出力し、トーンカーブ補正部２２２が補正パラメータに応じて異なる方法でトーンカーブの補正を行っても良い。
【００６８】
図８は、３段階の補正パラメータが設定された例である。パラメータ出力部３２１は、例えば、他拠点画像に含まれる全画素の輝度成分の平均値Ｌと２つの閾値（１００，１５０）とを比較し、平均値Ｌに応じて設定された補正パラメータを出力する。
【００６９】
例えば平均値Ｌが１５０より大きい場合には、会議端末１００から送信される画像は相手側環境において見づらい条件だと考えられる。また、平均値Ｌが１００以上且つ１５０以下の場合には、相手側環境が適度に暗く見やすい条件だと考えられる。平均値Ｌが１００未満の場合には、相手側環境が非常に暗く、表示される画像がまぶしく感じられて見づらい条件だと考えられる。そこで、パラメータ出力部３２１は、平均値Ｌに応じて「０（補正しない）」、「１（補正する：パターン１）」及び「２（補正する：パターン２）」の何れかを出力する。
【００７０】
トーンカーブ補正部２２２は、補正パラメータが「１（補正する：パターン１）」の場合には、例えば図５（ｂ）に示す様に、入力信号を圧縮する。また、補正パラメータが「２（補正する：パターン２）」の場合には、例えば図９（ｂ）に示す様に出力信号を圧縮する様に補正する。
【００７１】
３段階の補正パラメータが設定された場合の処理フローチャートを図１０に例示する。
【００７２】
まずステップＳ３１にて、画像取得部２１１が露出の異なる複数のフレーム画像を取得して合成する。次にステップＳ３２にて、画像補正部２２１は、画像取得部２１１からフレーム画像を取得し、トーンカーブを作成する。
【００７３】
ステップＳ３３及びステップＳ３４にて、パラメータ設定部２２３により設定された補正パラメータを判断する。補正パラメータが「０（補正しない）」の場合（ステップＳ３３：Ｙｅｓ）には、トーンカーブの補正を行わず、ステップＳ３７のトーンマッピングに進む。補正パラメータが「１（補正する：パターン１）」の場合（ステップＳ３４：Ｙｅｓ）には、ステップＳ３５にて、トーンカーブ補正部２２２がトーンカーブの入力信号を圧縮する補正を実行する。補正パラメータが「２（補正する：パターン２）」の場合（ステップＳ３４：Ｎｏ）には、トーンカーブ補正部２２２がトーンカーブの出力信号を圧縮する補正を実行する。
【００７４】
次にステップＳ３７にて、画像補正部２２１が、補正なしのトーンカーブ又は補正されたトーンカーブに従ってトーンマッピングを行う。続いてステップＳ３８にて、補正済画像伝送部２３１が、画像補正部２２１によりトーンマッピングが実行された補正済フレーム画像を処理装置３００に送信し、処理を終了する。
【００７５】
この様に、補正パラメータが相手側環境に応じて複数設定され、トーンカーブ補正部２２２が補正パラメータに応じてトーンカーブの補正方法を変えることで、画像補正部２２１は、相手側環境に応じてより細やかな画像補正を行うことが可能になる。
【００７６】
以上で説明した様に、実施形態に係る会議端末１００によれば、例えば他の会議端末１０１，１０２，１０３等の機器が設置される環境に応じてトーンカーブの補正を行うことで、撮影した画像を相手側拠点において見やすい画像に補正して送信できる。また、会議端末１００では、画像補正部２２１のハイダイナミックレンジ処理におけるダイナミックレンジの圧縮前に画像の補正を実行することで、より繊細な補正を行うことが可能である。
【００７７】
ここまで、上記実施形態に基づき本発明の説明を行ってきたが、上記実施形態に係る会議端末１００が有する機能は、上記で説明を行った各処理手順を、上記実施形態に係る会議端末１００にあったプログラミング言語でコード化したプログラムとしてコンピュータで実行することで実現することができる。よって、上記実施形態に係る会議端末１００を実現するためのプログラムは、コンピュータが読み取り可能な記録媒体に格納することができる。
【００７８】
したがって、上記実施形態に係るプログラムは、フロッピー（登録商標）ディスク、ＣＤ（Compact Disc）、ＤＶＤ（Digital Versatile Disk）などの記録媒体に記憶させることによって、これらの記録媒体から、会議端末１００にインストールすることができる。また、会議端末１００は、通信ユニット３４０を有していることから、上記実施形態に係るプログラムは、インターネット等の電気通信回線を介してダウンロードし、インストールすることもできる。
【００７９】
以上、実施形態に係る画像処理装置、画像処理システム、画像処理方法及びプログラムについて説明したが、本発明は上記実施形態に限定されるものではなく、本発明の範囲内で種々の変形及び改良が可能である。
【符号の説明】
【００８０】
１  テレビ会議システム（画像処理システム）
１００  会議端末（画像処理装置）
１０１，１０２，１０３  会議端末（機器）
２１１  画像取得部（画像取得手段）
２２１  画像補正部（画像補正手段）
２２２  トーンカーブ補正部（トーンカーブ補正手段）
３２１  パラメータ出力部（パラメータ出力手段）
３４１  送信部（送信手段）
３４２  受信部（受信手段）
【先行技術文献】
【特許文献】
【００８１】
【特許文献１】特開２００７−１３９８５５号公報
【図１】
2014179807.tif 000003
【図２】
2014179807.tif 000004
【図３】
2014179807.tif 000005
【図４】
2014179807.tif 000006
【図５】
2014179807.tif 000007
【図６】
2014179807.tif 000008
【図７】
2014179807.tif 000009
【図８】
2014179807.tif 000010
【図９】
2014179807.tif 000011
【図１０】
2014179807.tif 000012